(57)【要約】【課題】  操作画面に表示される同じパラメータを操作する操作子のコメントを、複数台のコントロール装置において共有する。【解決手段】  コントローラ＃１，＃２によりＤＳＰ＃２の同じパラメータを操作する際に、コメントのテキストデータをＤＳＰ＃２に格納するよう転送し、コントローラ＃１，＃２の表示手段はコントロール画面を描画する際に、操作子に付されるコメントのテキストデータを、ＤＳＰ＃２から読み出し表示手段に描画する。これにより、それぞれのコントローラ＃１，＃２がＤＳＰ＃２に格納されているテキストデータを読み出して同じコメントを操作画面に表示するようになり、コメントを共有することができるようになる。【選択図】  図１
2008219697.tif 000002
【特許請求の範囲】
【請求項１】
入力された音響信号に所定の信号処理を施して出力する信号処理装置が接続されている伝送路に複数台接続されており、前記信号処理装置の操作をそれぞれが行えるコントロール装置であって、
前記信号処理装置が有する複数のパラメータの内のユーザが選択した少なくとも一つのパラメータを操作する操作子と、該操作子に付される操作性の向上を図るコメントとが表示される操作画面を描画する表示手段と、
該表示手段に描画される前記コメントのテキストデータを作成／編集した際に、当該テキストデータを前記信号処理装置に格納するよう前記信号処理装置に転送するコメント転送手段と、
前記表示手段に描画された前記操作画面における前記操作子を操作する操作手段と、
該操作手段により前記操作子を操作した際に、当該操作子に対応する前記パラメータの値を前記信号処理装置に設定するよう前記信号処理装置に転送するパラメータ転送手段とを備え、
前記表示手段は前記操作画面を描画する際に、前記操作子に付される前記コメントのテキストデータを、前記パラメータにより特定して前記信号処理装置から読み出し前記表示手段に描画するようにしたことを特徴とするコントロール装置。
【請求項２】
前記コメントが条件付書式とされている場合、前記表示手段は、前記操作子で操作された前記パラメータの値に対応するコメントのテキストデータを選択して前記信号処理装置から読み出し、前記表示手段に描画するようにしたことを特徴とする請求項１記載のコントロール装置。
【発明の詳細な説明】
【技術分野】
【０００１】
この発明は、信号処理装置が接続された伝送路に接続され、信号処理装置を伝送路を介して制御するコントロール装置に関する。
【背景技術】
【０００２】
従来、入力された音響信号に所定の信号処理を施して出力する信号処理装置と、信号処理装置の操作を行うコントロール装置とを伝送路に接続した音響信号処理システムが提案されている。具体的な音響信号処理システムとして、ミキシングシステムが知られている。このミキシングシステムでは、ミキシング処理を行うエンジン部と、エンジン部におけるミキシング処理のミキシング操作を行うコンソール部との間を通信路で接続している。これにより、エンジン部をステージの近傍に設置できると共に、コンソール部を観客席に設置して聴衆の聴く音を確認しながらミキシングの操作を行うことができるようになる。
【０００３】
このように、従来の音響信号処理システムにおいては、コントロール装置により信号処理装置が有するパラメータの操作を行うようにしている。この場合、前記したミキシングシステムのように多数のパラメータを有している場合は、パラメータを操作するための操作画面において多数の操作子が表示されることになり、操作したい特定の操作子を容易に見出して操作することが困難になっていた。ユーザにとって、頻繁に操作したり重要と思うパラメータは限られている。そこで、ユーザが頻繁に操作したり重要と思うパラメータの操作子だけを表示するユーザコントロール画面をユーザが作成することにより、パラメータの操作を容易に行うようにすることが行われている。
【特許文献１】特開２００２−３０４１７３号公報
【特許文献２】特開２００５−２５２５４３号公報
【発明の開示】
【発明が解決しようとする課題】
【０００４】
前記したユーザコントロール画面においては、ユーザが独自に作成したコントロール画面であることから、表示される操作子の操作の向上を図るために操作子にパラメータ名等のコメントを付すことが考えられている。ところで、前記した音響信号処理システムにおいて、信号処理装置が接続された伝送路に複数台のコントロール装置を接続して、それぞれのコントロール装置が信号処理装置の操作を伝送路を介して行うことが考えられる。この場合、それぞれのコントロール装置にユーザコントロール画面を表示して、信号処理装置の同じパラメータの操作を行う際に操作子に付されるコメントはそれぞれのコントロール装置において独自に作成したコメントとされるため、異なるコメントが付されて表示されるようになる。
【０００５】
このことを、音響信号処理システムの構成の一例を図１３に、ユーザコントロール画面の一例を図１４に挙げて説明する。
図１３示す音響信号処理システム１００は、伝送路１０７と、第１コントロール装置（コントローラ＃１）１０２と第２コントロール装置（コントローラ＃２）１０３と第１信号処理装置（ＤＳＰ＃１）１０４と第２信号処理装置（ＤＳＰ＃２）１０５とＡＤ／ＤＡ変換器１０６とが伝送路１０７に接続されて構成されたネットワークにより構成されている。この２台のコントロール装置１０２，１０３はそれぞれが２台の信号処理装置１０４，１０５の操作を行うことができるようにされている。図１３には、第１コントロール装置１０２および第２コントロール装置１０３が第２信号処理装置１０５の同じパラメータの操作を行っていることが矢印で示されており、第１コントロール装置１０２および第２コントロール装置１０３では第２信号処理装置１０５のパラメータを操作するために、それぞれユーザコントロール画面が開かれている。そして、図１４（ａ）に示すコントロール画面が第１コントロール装置１０２の表示手段に表示されているユーザコントロール画面（コントロール画面＃１）であり、図１４（ｂ）に示すコントロール画面が第２コントロール装置１０３の表示手段に表示されているユーザコントロール画面（コントロール画面＃２）である。
【０００６】
コントロール画面＃１は「VocalControl」の操作画面であり、パラメータ１を操作するノブ１３０とパラメータ２を操作するボタン１３１とが表示されている。また、コントロール画面＃２は、「Level Control」の操作画面でありパラメータ３を操作するノブ１４０と上記パラメータ２を操作するボタン１４１とが表示されている。このように、コントロール画面＃１，＃２のボタン１３１，１４１は同じパラメータ２を操作する操作子とされている。そして、コントロール画面＃１において、ノブ１３０にはパラメータ１を「Mic Level」とするコメントが付されて表示されていると共に、ボタン１３１にはパラメータ２を「Main Vocal」とするコメントが付されて表示されている。また、コントロール画面＃２において、ノブ１４０にはコメントが表示されておらず、ボタン１４１にはパラメータ２を「Mic1」とするコメントが付されて表示されている。これらのコメントは、それぞれのコントロール装置１０２，１０３で独立して作成されてそれぞれに保持されている。このように、同じパラメータを操作する操作子であっても操作子に付されて表示されるコメントが一致しないという問題点があった。
そこで、本発明は、操作画面に表示される同じパラメータを操作する操作子のコメントを、複数台のコントロール装置において共有することのできるコントロール装置を提供することを目的としている。
【課題を解決するための手段】
【０００７】
上記目的を達成するために、本発明のコントロール装置は、コメントのテキストデータを信号処理装置に格納するよう信号処理装置に転送し、表示手段は操作画面を描画する際に、操作子に付されるコメントのテキストデータを、信号処理装置から読み出し表示手段に描画するようにしたことを最も主要な特徴としている。
【発明の効果】
【０００８】
本発明によれば、コメントのテキストデータを信号処理装置に格納するよう信号処理装置に転送し、表示手段は操作画面を描画する際に、操作子に付されるコメントのテキストデータを、信号処理装置から読み出し表示手段に描画することから、それぞれのコントロール装置が信号処理装置に格納されているテキストデータを読み出して同じコメントを操作画面に表示するようになり、コメントを共有することができるようになる。
【発明を実施するための最良の形態】
【０００９】
本発明の実施例のコントロール装置を備える音響信号処理システムの概要の構成を示すブロック図を図１に示す。
図１に示す音響信号処理システム１は、伝送路７と、第１コントロール装置（コントローラ＃１）２と第２コントロール装置（コントローラ＃２）３と第１信号処理装置（ＤＳＰ＃１）４と第２信号処理装置（ＤＳＰ＃２）５とＡＤ／ＤＡ変換器６とが伝送路７に接続されて構成されたネットワークにより構成されている。このように、音響信号処理システム１はネットワークとされる伝送路７に接続された２台の信号処理装置４，５と２台のコントロール装置２，３とを備え、２台のコントロール装置２，３はそれぞれが２台の信号処理装置４，５を操作することができるようにされている。第１コントロール装置２および第２コントロール装置３は同様の構成とされており、第１コントロール装置２の概要の構成のみが図１に例示されている。
【００１０】
第１コントロール装置２および第２コントロール装置３の構成を第１コントロール装置２の構成を説明することで説明する。第１コントロール装置２は、伝送路７との間でパケットデータとされている制御信号や音響信号を授受する通信インタフェースを含む通信回路２ｂと、第１コントロール装置２の全体を制御するＣＰＵを含む制御回路２ａと、液晶表示器等を備える表示部１６に第１信号処理装置４および第２信号処理装置５を操作する際に操作画面を表示する表示回路１７とから構成されている。また、第１信号処理装置４および第２信号処理装置５は、ＤＳＰ（Digital Signal Processor）を内蔵し、第１コントロール装置２および第２コントロール装置３に設定されたパラメータの値が保持されるレジスタや後述するコメントのテキストデータが保存される記憶手段を備えている。また、ＡＤ／ＤＡ変換器６は入力されたアナログの音響信号をデジタルの音響信号に変換して伝送路７に送出することができ、信号処理装置４，５は伝送路７から受信したデジタルの音響信号をアナログの音響信号に変換して出力することができる。
【００１１】
音響信号処理システム１を、例えばミキシングシステムとして動作させる場合、信号処理部とされる第１信号処理装置４および第２信号処理装置５はエンジン部となり、内蔵するＤＳＰが複数のチャンネルの音響信号を処理するようにされる。具体的には、入力信号系列としてＡＤ／ＤＡ変換器６からのデジタルの音響信号やマイク入力などの複数の入力チャンネルを備え、入力信号系列をプログラムしてミキシングし、出力信号系列である複数の出力チャンネルに出力する信号処理を行う。また、コントロール部とされる第１コントロール装置２および第２コントロール装置３はコンソール部となり、第１信号処理装置４および第２信号処理装置５のミキシング処理に関する操作を、伝送路７に制御信号を送出することで行うことになる。
【００１２】
次に、第２コントロール装置３と同様の構成とされる第１コントロール装置２の詳細な構成を示すブロック図を図２に示す。
図２において、ＣＰＵ（Central Processing Unit）１０は第１コントロール装置２の全体の動作を制御すると共に、表示部１６に操作画面等を表示する描画プログラムや第１信号処理装置４および第２信号処理装置５の信号処理部を操作する操作用プログラム等の動作ソフトウェアを実行している。ＲＡＭ（Random Access Memory）１１には、ＣＰＵ１０のワークエリアや各種データの記憶エリアが設定されており、ＲＯＭ（Read Only Memory）１２には、ＣＰＵ１０が実行する描画プログラムや制御用プログラム等の動作ソフトウェアが少なくとも格納されている。このＲＯＭ１２をフラッシュメモリ等の書き換え可能なＲＯＭとすることで、動作ソフトウェアを書き換え可能となり動作ソフトウェアのバージョンアップを容易に行うことができる。
【００１３】
検出回路１５は、パネル操作子等の操作子１４を走査することによって操作子１４のイベントを検出して、イベントのあった操作子１４に対応するイベント出力を出力している。操作子１４には、各チャンネルのイコライジング特性、ミキシングバスへの送り出しレベルやパン特性等を操作したりシーンの切換を行ったりするための多数の操作子が含まれている。表示回路１７は液晶表示器（ＬＣＤ）等の表示部１６を備え、この表示部１６に第１信号処理装置４および第２信号処理装置５に属する各チャンネルのパラメータ等を操作する際に各種設定を行える操作画面（コントロール画面）等を表示している。各種設定は、ＧＵＩ（Graphical User Interface）を利用した操作画面上においてユーザが設定操作を行えるようにされている。通信インターフェース（Ｉ／Ｆ）１８は、第１コントロール装置２をＬＡＮ（ローカルエリアネットワーク）やインターネット、電話回線等の通信ネットワークとされる伝送路７に接続するインターフェースであり、該通信ネットワークに接続されることにより、第１信号処理装置４および第２信号処理装置５とされる外部機器２２と論理的に接続される。
【００１４】
第１コントロール装置２および第２コントロール装置３がこのような構成とされていることにより、伝送路７を介することで第１コントロール装置２あるいは第２コントロール装置３から外部機器２２へ制御信号や音響信号のパケットを送ることができると共に、外部機器２２から出力される音響信号のパケットを受信することができるようになる。音声信号入力回路１９は、外部音を取り込むためのマイクなどの入力部２３から音響信号を第１コントロール装置２あるいは第２コントロール装置３へ取り込んでおり、音声信号出力回路２０は、第１コントロール装置２あるいは第２コントロール装置３から出力されるミキシング処理等の信号処理された音響信号を外部のスピーカ等の出力部２４へ出力して放音している。これらの各部は通信バス２１に接続されて、通信バス２１を介してデータの授受を行っている。
また、第１信号処理装置４および第２信号処理装置５はＤＳＰを内蔵しているが、簡易な構成とするために操作子や表示部を有しておらず、その構成は、第１コントロール装置２においてＤＳＰを内蔵させると共に、操作子１４、検出回路１５、表示部１６、表示回路１７を除いた構成とされている。この第１信号処理装置４あるいは第２信号処理装置５を伝送路７に接続すると、内蔵する通信インタフェースおよび伝送路７を介して外部機器である第１コントロール装置２および第２コントロール装置３あるいは自機以外の信号処理装置と論理的に接続されるようになる。
【００１５】
上述したように、２台のコントロール装置２，３はそれぞれが２台の信号処理装置４，５の操作を行うことができるようにされている。音響信号処理システム１において、第１コントロール装置２および第２コントロール装置３が第２信号処理装置５の同じパラメータの操作を行っている構成が図３に矢印で示されており、この際に第１コントロール装置２および第２コントロール装置３では第２信号処理装置５のパラメータを操作するために、それぞれユーザコントロール画面が開かれるようになる。このユーザコントロール画面の一例が図５（ａ）（ｂ）に示されている。図５（ａ）に示すコントロール画面は、第１コントロール装置２の表示部１６に表示されるユーザコントロール画面（コントロール画面＃１）であり、図５（ｂ）に示すコントロール画面が第２コントロール装置３の表示手段に表示されるユーザコントロール画面（コントロール画面＃２）である。
【００１６】
コントロール画面＃１は「Vocal Control」パラメータの操作画面であり、例えばパラメータ１を操作するノブ３０と、例えばパラメータ２を操作するボタン３１とが表示されている。コントロール画面＃２は「Level Control」パラメータの操作画面であり、例えばパラメータ３を操作するノブ４０と、上記パラメータ２を操作するボタン４１とが表示されている。このように、コントロール画面＃１，＃２のボタン３１，４１は同じパラメータ２を操作する操作子とされている。そして、コントロール画面＃１において、ノブ３０にはパラメータ１を「Vox1 Level」とするコメントが付されて表示されていると共に、ボタン３１にはパラメータ２を「Main Vocal」とするコメントが付されて表示されている。また、コントロール画面＃２において、ノブ４０にはパラメータ３にかかるコメントは表示されておらず、ボタン４１にはパラメータ２を「Main Vocal」とするコメントが付されて表示されている。このように、本発明にかかるコントロール装置においては、同じパラメータ２を操作する操作子であるボタン３１，４１に付されて表示されるコメントは共有されて一致するようになる。なお、コントロール画面内のパラメータのそれぞれに対してコメントをつけられるが、そのコメントを非表示にすることも可能とされている。
【００１７】
ユーザコントロール画面における操作子に付されるコメントは、コントロール装置２あるいはコントロール装置３で作成されるが、作成されたコメントのテキストデータは、コメントを付した操作子で操作されるパラメータを有する第１信号処理装置４あるいは第２信号処理装置５に送られて保持される。第１コントロール装置２において、例えばパラメータ２を操作する際にコントロール画面＃１を表示部１６に表示させるが、この際にパラメータ２を有する第２信号処理装置５にアクセスして、パラメータ２のプロパティにおけるコメントのテキストデータを読み出して表示部１６に描画する。また、第２コントロール装置３において、同じパラメータ２を操作する際にコントロール画面＃２を表示部１６に表示させるが、この際にパラメータ２を有する第２信号処理装置５にアクセスして、パラメータ２のプロパティにおけるコメントのテキストデータを読み出して表示部１６に描画する。このように、パラメータに付すコメントのテキストデータを、当該パラメータを有する信号処理装置に当該パラメータのプロパティとして保持させるようにしたことから、コメントを複数台のコントロール装置において共有することができるようになる。
【００１８】
ここで、第２信号処理装置５が有するパラメータのプロパティの一例を図４に示す。
第２信号処理装置（ＤＳＰ＃２）５は、パラメータ１（Param #1）、パラメータ２（Param #2）、パラメータ３（Param #3）・・・・を有しており、表示部１６においてパラメータ２（Param #2）のプロパティを開いた際に表示される画面が図４に示されている。図４に示すように、パラメータ２（Param #2）のプロパティでは、パラメータの名称（Name）が「On」とされ、操作子のタイプ（Type）が「Button」とされ、パラメータ値（Value）が「0dB」とされ、コメント（Comment）が「Main Vocal」とされている。「On」はパラメータ種類がオンするパラメータであることを表しており、「Button」は操作子がボタンであることを表している。他のパラメータのプロパティも同様の構成とされている。第１コントロール装置２は、パラメータ２を操作する際に第２信号処理装置（ＤＳＰ＃２）５にアクセスして、パラメータ２（Param #2）のプロパティからコメントのテキストデータ「Main Vocal」を読み出して表示部１６に描画する。これにより、図５（ａ）に示すようにコントロール画面＃１のボタン３１に「Main Vocal」のコメントが付されるようになる。また、第２コントロール装置３がパラメータを操作する場合も同様であり、第２信号処理装置（ＤＳＰ＃２）５にアクセスして、パラメータ２（Param #2）のプロパティからコメントのテキストデータ「Main Vocal」を読み出して表示部１６に描画する。これにより、図５（ｂ）に示すようにコントロール画面＃２のボタン４１に「Main Vocal」のコメントが付されるようになる。
【００１９】
次に、パラメータにコメントを追加する際にコントロール装置において実行されるコメント追加処理のフローチャートを図６に示す。
ユーザがコメントを追加する操作を行うことでコメント追加処理が起動され、ステップＳ１０にてコメントを追加したいパラメータを有している信号処理装置をターゲットＤＳＰとしてユーザが指定する。次いで、ステップＳ１１にてコメントを追加したいターゲットＤＳＰにおけるパラメータをツールバーのメニューやコンテキストメニューからユーザが指定する。そして、ステップＳ１２にて表示部１６に表示された設定メニューからユーザがコメントの追加や編集を行い、コメントの追加や編集が終了すると追加や編集がされたコメントのテキストデータがターゲットＤＳＰに送られて、ユーザが指定したパラメータのプロパティにコメントが追加あるいはコメントが上書きされてコメント追加処理は終了する。
【００２０】
次に、ユーザコントロール画面にパラメータを追加する際にコントロール装置において実行されるパラメータ追加処理のフローチャートを図７に示す。
ユーザがユーザコントロール画面にパラメータを追加する操作を行うことでパラメータ追加処理が起動され、ステップＳ２０にて追加したいパラメータを有している信号処理装置をターゲットＤＳＰとしてユーザが指定する。次いで、ステップＳ２１にて追加したいターゲットＤＳＰにおけるパラメータをツールバーのメニューやコンテキストメニューからユーザが指定する。そして、ステップＳ２２にてコントロール装置は、ターゲットＤＳＰの識別情報や指定したパラメータのパラメータ番号をパラメータ情報として取得する。次いで、取得したパラメータ情報に基づいて信号処理装置にアクセスして指定したパラメータの操作子のタイプおよびパラメータに付すコメントのテキストデータを取得し、ステップＳ２３にて取得した操作子のタイプに応じた操作子イメージをユーザコントロール画面に追加するよう描画する。さらに、ステップＳ２４にて取得したテキストデータに基づいてユーザコントロール画面にコメントを追加するよう描画し、パラメータ追加処理は終了する。
【００２１】
次に、ユーザコントロール画面においてパラメータの操作を行った際にコントロール装置において実行されるパラメータ操作処理のフローチャートを図８に示す。
ユーザコントロール画面における操作子を操作することでパラメータ操作処理が起動され、ステップＳ３０にてユーザが操作した操作子のパラメータの数値を取得する。次いで、ステップＳ３１にて操作されたパラメータのパラメータ情報から、操作されたパラメータを有する操作先の信号処理装置に取得したパラメータの数値を送り、当該信号処理装置においてそのパラメータのパラメータ値を操作後のパラメータ値に変更する。そして、ステップＳ３２にて操作されたパラメータに付されているコメントが条件付書式の設定となっているか否かが判断される。ここで、コメントが条件付書式になっていると判断された場合は、ステップＳ３３に分岐して変更後のパラメータの値から条件に応じたコメントが信号処理装置から取得されてユーザコントロール画面に描画されて表示され、パラメータ操作処理は終了する。また、コメントが条件付書式になっていないと判断された場合は、そのままパラメータ操作処理は終了する。
【００２２】
ここで、条件付書式とされているコメントの一例を図９に示す。図９には、第２信号処理装置５が有するパラメータ２（Param #2）のプロパティにおけるコメント（Comment）のプロパティの一例が示されている。図示されるように、コメント（Comment）のデフォルト値（Default）は「Main Vocal」とされており、「Main Vocal」のパラメータ値が「０〜１０」ｄＢの範囲の場合のコメントはレベルが高すぎて音が割れたりひずむことから「Danger!!」とされている。また、「Main Vocal」のパラメータ値が「−１０〜０」ｄＢの範囲の場合のコメントはレベルが高く音が割れたりひずむ危険性があることから「Warning」とされている。さらに、「Main Vocal」のパラメータ値が「−６０〜−１０」ｄＢの範囲の場合のコメントはレベルが適切な範囲であることから「Safety」とされている。
【００２３】
そこで、パラメータ操作処理において第２信号処理装置５が有するパラメータ２（Param #2）の操作が行われた際のコントロール画面＃２の例を図１０（ａ）（ｂ）に示す。図１０（ａ）はユーザが操作子を操作してパラメータ２（Param #2）である「Main Vocal」のパラメータ値が「０〜１０」ｄＢの範囲になった場合のコントロール画面＃２であり、ボタン４１に付されているコメントは「Danger!!」となる。このコメント「Danger!!」は、コントロール装置が第２信号処理装置５にアクセスしてパラメータ２（Param #2）のコメント（Comment）のプロパティから「０〜１０」ｄＢの範囲のパラメータ値に対応して読み出したコメントとされる。また、図１０（ｂ）はユーザが操作子を操作してパラメータ２（Param #2）である「Main Vocal」のパラメータ値が「−６０〜−１０」ｄＢの範囲になった場合のコントロール画面＃２であり、ボタン４１に付されているコメントは「Safety」となる。このコメント「Safety」は、コントロール装置が第２信号処理装置５にアクセスしてパラメータ２（Param #2）のコメント（Comment）のプロパティから「−６０〜−１０」ｄＢの範囲のパラメータ値に対応して読み出したコメントとされる。
【００２４】
次に、コントロール装置において条件付書式とされているコメントをセットアップするウィンドウの例を図１１に示す。図１１では、第２信号処理装置５が有するパラメータ２（Param #2）のコメントのセットアップ画面とされている。
図１１に示すセットアップ画面では、コメントモード（Comment Mode）として固定（Fix）と可変（Vari）とのいずれかを選択することができる。固定（Fix）を選択するとコメントが条件付書式とされていても固定されてパラメータ値に応じて変化しないようになり、可変（Vari）を選択するとコメントはパラメータ値に応じたコメントに変化するようになる。画面上では固定（Fix）が選択されている。パラメータのデフォルト値（Default Comment）は「Main Vocal」とされており、その表示色は黒（Black）が選択されている。また、コメントのセットアップとしては優先度（Priority）、ターゲット（Target）、条件（Condition）、値（Value）、コメント（Comment）、表示色（Color）をそれぞれ設定することができる。図示する場合は、「Main Vocal」のパラメータ値が０ｄＢ以上となった際にコメント「Danger!!」が赤色で表示されることが最優先とされ、「Main Vocal」のパラメータ値が−１０ｄＢ以上となった際にコメント「Warning」がピンク色で表示されることがその次に優先され、「Main Vocal」のパラメータ値が−６０ｄＢ以上となった際にコメント「Safety」が青色で表示されることがその次に優先されるよう設定されている。設定内容でセットアップする場合は画面下部の「ＯＫ」をクリックし、設定内容を消去する場合は画面下部の「Cansel」をクリックする。
【００２５】
次に、図１１に示すセットアップ画面でセットアップされたコメントを表示するコントロール装置で実行されるコメント表示処理のフローチャートを図１２に示す。
コメント表示処理は、ユーザコントロール画面を表示する操作を行った際、あるいはユーザコントロール画面においてパラメータの操作を行った際に起動され、ステップＳ４０にてユーザコントロール画面に表示されている操作子にかかるパラメータの現在あるいは変更後のパラメータ値が取得される。次いで、パラメータ値を取得したパラメータのパラメータ情報からパラメータのコメントモードが固定（Fix）か可変（Vari）かが判断される。ここで、コメントモードが固定（Fix）と判断されると、コメント内容を変更する必要がないことからコメント表示処理は終了する。また、コメントモードが可変（Vari）と判断されると、ステップＳ４２に分岐して、現在のパラメータ値が含まれる条件を当該パラメータを有する信号処理装置にアクセスして、そのパラメータのプロパティから取得する。
【００２６】
条件が取得されるとステップＳ４３にて表示するコメントの内容を変更する必要があるか否かが判断される。ここで、表示するコメントの内容が取得した条件を参照した際に現在のパラメータ値に適合するコメントと判断されると、表示するコメントの内容を変更する必要がないことからコメント表示処理は終了する。また、表示するコメントの内容が取得した条件を参照した際に現在のパラメータ値に適合していないコメントと判断されると、ステップＳ４４に分岐して現在のパラメータ値に適合する新たに表示するコメントの内容および描画に必要な情報を当該パラメータを有する信号処理装置にアクセスして当該パラメータのプロパティから取得する。次いで、ステップＳ４５にて取得した新たに表示するコメントの内容および描画に必要な情報に基づいてコメントを再描画する。これにより、現在のパラメータ値に適合するコメントがユーザコントロール画面に表示されるようになり、コメント表示処理は終了する。
【産業上の利用可能性】
【００２７】
以上説明したように、コントロール画面においてパラメータにつけるコメントを、コントローラのＧＵＩに持たせるのではなく、コントロール装置が操作する信号処理装置側に保持させている。また、単にテキストデータのコメントを持たせるのではなく、値（条件）に応じてコメントの内容を変更することができる。このように、複数のコントロール装置で操作するパラメータであってもコメントを共有することができるため、どのコントロール装置から見ても同じようにコメントデータを扱うことができるようになる。また、値（条件）に応じてコメントの内容が変更されて表示されるため、コメントによるエマージェンシー通知などを簡単に行うことができるようになる。この場合、セキュリティレベルやユーザに応じてコメントの内容を変更することができる。
【図面の簡単な説明】
【００２８】
【図１】本発明の実施例のコントロール装置を備える音響信号処理システムの概要の構成を示すブロック図である。
【図２】本発明の実施例にかかるコントロール装置の詳細な構成を示すブロック図である。
【図３】本発明の実施例のコントロール装置を備える音響信号処理システムにおいて、２台のコントロール装置が信号処理装置を操作していることを示す図である。
【図４】本発明の実施例にかかるコントロール装置が操作する信号処理装置のパラメータのプロパティの一例を示す図である。
【図５】本発明の実施例にかかるコントロール装置に表示されるコメントが付されたコントロール画面の例を示す図である。
【図６】本発明の実施例にかかるコントロール装置において実行されるコメント追加処理のフローチャートである。
【図７】本発明の実施例にかかるコントロール装置において実行されるパラメータ追加処理のフローチャートである。
【図８】本発明の実施例にかかるコントロール装置において実行されるパラメータ操作処理のフローチャートである。
【図９】本発明の実施例にかかるコントロール装置が操作する信号処理装置のパラメータにおける条件付書式とされるコメントのプロパティの一例を示す図である。
【図１０】本発明の実施例にかかるコントロール装置に表示される条件付書式のコメントが付されるコントロール画面の例を示す図である。
【図１１】本発明の実施例にかかるコントロール装置において条件付書式とされているコメントをセットアップするウィンドウの例を示す図である。
【図１２】本発明の実施例にかかるコントロール装置で実行されるコメント表示処理のフローチャートである。
【図１３】従来の音響信号処理システムの構成の一例を示す図である。
【図１４】従来の音響信号処理システムにおけるユーザコントロール画面の一例を示す図である。
【符号の説明】
【００２９】
１  音響信号処理システム、２  第１コントロール装置（コントローラ＃１）、２ａ  制御回路、２ｂ  通信回路、３  第２コントロール装置（コントローラ＃２）、４  第１信号処理装置（ＤＳＰ＃１）、５  第２信号処理装置（ＤＳＰ＃２）、６  ＡＤ／ＤＡ変換器、７  伝送路、１０  ＣＰＵ、１１  ＲＡＭ、１２  ＲＯＭ、１４  操作子、１５  検出回路、１６  表示部、１７  表示回路、１８  通信インターフェース、１９  音声信号入力回路、２０  音声信号出力回路、２１  通信バス、２２  外部機器、２３  入力部、２４  出力部、３０  ノブ、３１  ボタン、４０  ノブ、４１  ボタン、１００  音響信号処理システム、１０２  第１コントロール装置、１０３  第２コントロール装置、１０４  第１信号処理装置、１０５  第２信号処理装置、１０６  ＡＤ／ＤＡ変換器、１０７  伝送路、１３０  ノブ、１３１  ボタン、１４０  ノブ、１４１  ボタン
【図１】
2008219697.tif 000003
【図２】
2008219697.tif 000004
【図３】
2008219697.tif 000005
【図４】
2008219697.tif 000006
【図５】
2008219697.tif 000007
【図６】
2008219697.tif 000008
【図７】
2008219697.tif 000009
【図８】
2008219697.tif 000010
【図９】
2008219697.tif 000011
【図１０】
2008219697.tif 000012
【図１１】
2008219697.tif 000013
【図１２】
2008219697.tif 000014
【図１３】
2008219697.tif 000015
【図１４】
2008219697.tif 000016